(57)【要約】  ２つの構成要素（２）を突き合わせて連結する二重コネクタ（１）であって、二重コネクタ（１）は、中間ボルト部分（５）の両側のボルト端部（６）の各々の方向に向けて先細りになった、それぞれのボルト部分（７）を有するガイドボルト（４）と、ガイドボルト（４）上を移動可能にガイドされ、それぞれがいずれも、外側ソケット端部位置から中間ボルト部分（５）に向かって取付け位置まで押圧されることが可能な、２つの拡開ソケット（８）とを備え、取付け位置において２つの拡開ソケット（８）は押し戻されないように係合され、各拡開ソケット（８）はそれぞれ、取付け位置においてガイドボルト（４）によって外側に拡大された少なくとも１つの拡開タブ（１０）を有する。【選択図】図１ａ
2019515225.tif 000002
【特許請求の範囲】
【請求項１】
２つの構成要素（２）を突き合わせて連結する二重コネクタ（１）であって、前記二重コネクタ（１）は、中間ボルト部分（５）の両側のボルト端部（６）の各々の方向に向けて先細りになった、それぞれのボルト部分（７）を有するガイドボルト（４）を備え、かつ前記ガイドボルト（４）上を移動可能にガイドされ、それぞれがいずれも、外側ソケット端部位置から前記中間ボルト部分（５）に向かって取付け位置まで押圧されることが可能な、２つの拡開ソケット（８）を備え、前記取付け位置において２つの前記拡開ソケット（８）は押し戻されないように係合され、各前記拡開ソケット（８）はそれぞれ、前記取付け位置において前記ガイドボルト（４）によって外側に広げられた少なくとも１つの拡開タブ（１０）を有する二重コネクタ（１）。
【請求項２】
２つの前記拡開ソケット（８）は、前記取付け位置において互いに当接することを特徴とする請求項１に記載の二重コネクタ。
【請求項３】
２つの前記ボルト端部はそれぞれボルト頭部（６）として構成され、前記取付け位置において前記ボルト頭部（６）は、いずれも押圧方向（１９）の後方において前記拡開ソケット（８）がラッチするように係合することを特徴とする請求項１または２に記載の二重コネクタ。
【請求項４】
前記拡開ソケット（８）はそれぞれ、前記外側ソケット端部位置において、非円形の、特に卵形または楕円形の外周縁部（１５）を有するスリーブ部（１１）を備え、前記外周縁部（１５）は、非円形の前記外周縁部（１５）の長軸に沿って、特に卵形または楕円形の前記外周縁部の主軸に沿って、前記スリーブ部（１１）をいずれも押圧することにより、より円形の外周縁部（１５’）、特に円形またはほぼ円形の外周縁部（１５’）に変形可能であることを特徴とする請求項１から３のいずれか１項に記載の二重コネクタ。
【請求項５】
円形またはほとんど円形の前記外周縁部（１５’）に変形された前記スリーブ部（１１）の内径は、前記中間ボルト部分（５）の直径に相当することを特徴とする請求項４に記載の二重コネクタ。
【請求項６】
前記スリーブ部（１１）は、少なくとも、前記スリーブ部（１１）が変形していない時に、変形時の前記スリーブ部（１１）の前記外周縁部（１５’）を越えて外側に突出している、前記スリーブ部の部分（１１ａ）において、後方に向けて先細りになっていることを特徴とする請求項４または５に記載の二重コネクタ。
【請求項７】
前記スリーブ部（１１）が変形していない時に、変形時の前記スリーブ部（１１）の前記外周縁部（１５’）よりも外側に突出しない、前記スリーブ部の部分（１１ｂ）のうちの少なくとも１つにおいて、前記スリーブ部（１１）は前記内面上に係合凹部（１７）を備え、前記外側ソケット端部位置において、前記スリーブ部（１１）が変形していない時には、前記係合凹部（１７）は前記ボルト端部（６）に係合し、前記スリーブ部（１１）が変形した時には、前記ボルト端部（６）に、もはや係合されないか、または僅かしか係合されない、ことを特徴とする請求項４から６のいずれか１項に記載の二重コネクタ。
【請求項８】
前記中間ボルト部分（５）は止め具（２０）を備え、前記取付け位置にある２つの前記拡開ソケット（８）は、前記止め具と当接することができる、ことを特徴とする請求項１から７のいずれか１項に記載の二重コネクタ。
【請求項９】
２つの前記拡開ソケット（８）は同一の構造であることを特徴とする請求項１から８のいずれか１項に記載の二重コネクタ。
【請求項１０】
前記ガイドボルト（４）は、前記ガイドボルト（４）の中央面に関して鏡面対称であることを特徴とする請求項１から９のいずれか１項に記載の二重コネクタ。
【請求項１１】
前記取付け位置において、少なくとも１つの前記拡開タブ（１０）は、前記拡開タブ（１０）の後方前面（１３）が前記ボルト頭部（１８）を通り過ぎた状態で押し付けられ、それぞれの押圧方向（１９）の後方から前記ボルド頭部（１８）によって係合されることを特徴とする請求項１から１０のいずれか１項に記載の二重コネクタ。
【請求項１２】
各前記拡開タブ（１０）の少なくとも１つは、前記拡開タブ（１０）の外面上に、横方向に延びる外側リブ（１４）を含むことを特徴とする請求項１から１１のいずれか１項に記載の二重コネクタ。
【請求項１３】
各前記拡開ソケット（８）はそれぞれ、特に長手方向ソケット軸（９）の周りに回転対称に配置された複数の拡開タブ（１０）を備えることを特徴とする請求項１から１２のいずれか１項に記載の二重コネクタ。
【請求項１４】
前記拡開ソケット（８）の前記拡開タブ（１０）の少なくともいくつかの前記後方前面（１３）は、特に前記拡開ソケット（８）の全ての前記拡開タブ（１０）はそれぞれが軸方向に互いにずれていることを特徴とする請求項１３に記載の二重コネクタ。
【請求項１５】
前端部における各前記拡開ソケット（８）はそれぞれ、前記構成要素（２）の穴（３）の中への前記拡開ソケット（８）の挿入を制限する縁部フランジ（１２）を備えることを特徴とする請求項１から１４のいずれか１項に記載の二重コネクタ。
【請求項１６】
各前記拡開ソケット（８）は前記ガイドボルト（４）に対して止まって動かないことを特徴とする請求項１から１５のいずれか１項に記載の二重コネクタ。
【請求項１７】
前記二重コネクタ（１）は、プラスチック製のガイドボルト（４）を有する一体型プラスチック射出成形部品として形成されるか、または挿入部品としての前記ガイドボルト（４）を有する一体型射出成形部品として形成されることを特徴とする請求項１から１５のいずれか１項に記載の二重コネクタ。
【請求項１８】
各前記拡開ソケット（８）は接着剤で充填されることを特徴とする請求項１から１７のいずれか１項に記載の二重コネクタ。
【請求項１９】
互いに当接する２つの構成要素（２）を備え、かつ複数の拡開ソケット（８）と共に、前記構成要素（２）の穴（３）内に挿入される請求項１から１８のいずれか１項の二重コネクタ（１）を備える配置構成であって、各前記拡開ソケット（８）は前記ガイドボルト（４）上で互いに押圧され、この取付け位置において係合され、前記拡開タブ（１０）はそれぞれが前記ガイドボルト（４）によって外向きに広げられる配置構成。
【請求項２０】
前記取付け位置にある前記拡開ソケット（８）は、相互に当接するまで互いに押圧されることを特徴とする請求項１９に記載の配置構成。
【発明の詳細な説明】
【技術分野】
【０００１】
本発明は、２つの構成要素を突き合わせて連結するための二重コネクタ、およびこのような二重コネクタを有する構成に関する。
【背景技術】
【０００２】
２つの家具部品を突き合わせて連結するために、例えば、一方の家具部品にボルトをねじ込み、回転可能な偏心器を他方の家具部品の穴の中に挿入する偏心連結部品が知られている。工具を用いてこの偏心器が回転され、その結果、両方の家具部品が互いに当接するまでボルトが締め付けられる。
【発明の概要】
【発明が解決しようとする課題】
【０００３】
従って、本発明の目的は、例えば、２つの家具プレートなどの２つの構成要素を、工具を使用せずに、目に見えない形で共に連結することができるコネクタを明示することである。加えて、コネクタは、プレートの厚さに関わらず常にプレートの内部に位置することが意図されている。
【課題を解決するための手段】
【０００４】
この目的は、２つの構成要素を突き合わせて連結する二重コネクタの本発明によって実現され、二重コネクタは、中間ボルト部分の両側のボルト端部の各々の方向に向けて先細りになった、それぞれのボルト部分を有するガイドボルトを備え、かつガイドボルト上を移動可能にガイドされ、それぞれがいずれも、外側ソケット端部位置から中間ボルト部分に向かって取付け位置まで押圧されることが可能な、２つの拡開ソケットを備え、取付け位置において２つの拡開ソケットは押し戻されないように係合され、互いに当接することができ、各拡開ソケットはそれぞれ、取付け位置においてガイドボルトによって外側に広げられる少なくとも１つの拡開タブを有する。
【０００５】
本発明によれば、２つの拡開ソケットはそれぞれ構成要素の穴の中に挿入され、いずれも押し付けられる拡開タブはそれぞれガイドボルトによって外側に広げられる。取付け位置では、一方では、拡開ソケットは広げられた拡開タブによって構成要素の穴の壁に固定的に係留され、他方では押し戻されないように固定される。本発明による二重コネクタは、例えば、家具産業において２つの家具部品を連結するために、または自動車もしくは医療技術において、任意の２つの構成要素、更には異なる構成要素を連結するために、全般的に使用することができる。
【０００６】
好ましくは、２つのボルト端部はそれぞれボルト頭部として構成され、取付け位置において各ボルト頭部は、いずれも押圧方向の後方において拡開ソケットへラッチするように係合する。代替として、取付け位置にある２つの拡開ソケットを共に直接係合させてもよく、その結果、押し戻されないように固定することができる。
【０００７】
特に好ましくは、拡開ソケットはそれぞれ、外側ソケット端部位置において、非円形の、特に卵形または楕円形の外周縁部を有するスリーブ部を備え、当該外周縁部は、非円形の外周縁部の長軸に沿って、特に卵形または楕円形の外周縁部の主軸に沿って、スリーブ部をいずれも押圧することにより、より円形の外周縁部、特に円形またはほぼ円形の外周縁部に変形可能である。スリーブ部が変形していない時に、変形時のスリーブ部の外周縁部よりも外側に突出しない、それらの周縁部分のうちの少なくとも１つにおいて、スリーブ部は内面上に係合凹部を備え、外側ソケット端部位置において、スリーブ部が変形していない時には、係合凹部はボルト端部に係合し、スリーブ部が変形した時には、ボルト端部に、もはや係合されないか、または僅かしか係合されない。拡開ソケットの非円形の外周縁部が穴によって、より丸い外周縁部に、特に円形またはほぼ円形の外周縁部に強制的に変形された場合、ガイドボルトはそれまでに完全に解放（非係合）されるか、または、小さな衝撃によって容易に解消される程度にわずかに係合されるにすぎない。従って不注意による収縮が防止される（輸送上の安全性および／または誤動作に対する安全性が得られる）。
【０００８】
有利には、中間ボルト部分は、取付け位置を画定する止め具を備え、取付け位置の２つの拡開ソケットは止め具と当接することができる。
【０００９】
好ましくは、外面上の少なくとも１つの拡開タブはそれぞれ、壁穴内に挿入するための横方向に延びる外側リブを備える。
【００１０】
複数の拡開タブを有する拡開ソケットの場合、特に好ましくは、拡開ソケットの少なくともいくつかの拡開タブの、特に全ての拡開タブの後方前面はそれぞれ、軸方向に関して互いにずれており、それにより様々な軸方向位置においてボルト頭部に係合され、従って拡開ソケットの各種深さへの挿入や板材料内の深さ止め具を補う。拡開ソケットまたは深さ止め具が構成要素の中にどの程度まで挿入されるかに応じて、取付け位置において最大２ｍｍの隙間が拡開ソケット間に存在し得る。
【００１１】
拡開ソケットの構成要素の穴の中への挿入は、拡開ソケットの前端部の縁部フランジの形態の深さ止め具を介して制限することができる。
【００１２】
二重コネクタは、個々の部品から組み立てられ得るか、またはプラスチック製のガイドボルトを備えた一体型プラスチック射出成形部品として、もしくはガイドボルトをインサートとして有する一体型プラスチック射出成形部品として構成され得るかの、いずれであってもよい。
【００１３】
好ましくは、拡開ソケットは接着剤で充填され、拡開ソケットがいずれも押圧されると、接着剤はその時に押し出される。
【００１４】
最後に、本発明はまた、互いに当接する２つの構成要素を備え、かつ上記のように構成され、拡開ソケットと共に構成要素の穴内に挿入される二重コネクタを備えた構成に関し、各拡開ソケットはガイドボルト上において互いに押圧され、この取付け位置において係合され、拡開タブはそれぞれガイドボルトによって外向きに広げられる。２つの拡開ソケットはガイドボルトに係合されるか、または共に直接係合されるかのいずれかである。好ましくは、取付け位置にある拡開ソケットは、相互に互いに当接するまでいずれも押圧される。
【００１５】
本発明の更なる利点は、本明細書の記載、特許請求の範囲および図面から明らかである。これまでに引用し、また以下に示す特徴はまた、個別にまたは任意の組み合わせで使用することができる。図示され、記載された実施形態は、網羅的に列挙されたものとして理解すべきではなく、本発明を説明するための例示的性格のみを有する。
【図面の簡単な説明】
【００１６】
【図１ａ】本発明による、ガイドボルトのそれぞれの外側ソケット端部位置に２つの拡開ソケットを有する二重コネクタを示す、第１の側面図である。
【図１ｂ】図１ａのＩｂ−Ｉｂに対応する断面図である。
【図２ａ】図１に示した二重コネクタを図１に対して９０°回転した第２の側面図である。
【図２ｂ】図２ａのＩＩｂ−ＩＩｂに対応する断面図である。
【図３ａ】２つの拡開ソケットのそれぞれが穴内に挿入された二重コネクタを示す、図２ａに対応する側面図である。
【図３ｂ】図３ａのＩＩＩｂ−ＩＩＩｂに対応する断面図である。
【図４】２つの拡開ソケットが相互に当接するまでガイドボルトに対して押圧された二重コネクタを示す側面図である。
【発明を実施するための形態】
【００１７】
図１〜図４に示す二重コネクタ１は、平面的に互いに当接し、それぞれが受け穴３を有する２つの家具部品２を突き合わせて連結するために用いられる。
【００１８】
二重コネクタ１は、中間ボルト部分５の両側のそれぞれに、ボルト端部６の方向へ向けて先細りになっているボルト部分７を有するガイドボルト４と、２つの拡開ソケット８であって、各拡開ソケット８はガイドボルト４によって変位可能にガイドされ、それぞれが外側ソケット端部位置（図１ａ、２ａ）から中間ボルト部分５に向かって取付け位置（図４）まで押圧され、取付け位置において２つの拡開ソケット８は互いに当接することができ、押し戻されないように係合される２つの拡開ソケット８と、を備える。
【００１９】
各拡開ソケット８はそれぞれ、複数の拡開タブ１０（ここでは例として４個）を含み、長手方向ソケット軸９の周りに回転対称に配置され、取付け位置においてはガイドボルト４によって外側に広げられる。２つのボルト端部６はそれぞれボルト頭部として構成される。
【００２０】
図示した例示的実施形態のガイドボルト４は、その中央面に関して鏡面対称であるが、例えば、２つの異なる形態で先細りになったボルト部分７で構成されるような非対称であってもよい。図示した例示的実施形態における２つの拡開ソケット８は同じ構成を有するが、異なる構成を有してもよい。
【００２１】
拡開ソケット８はそれぞれスリーブ部１１を備え、スリーブ部１１は、対応する他の拡開ソケットに面する、前方スリーブ端部の縁部フランジ１２を末端とする。他の後方スリーブ端部から、拡開タブ１０は自由タブ端部と共に後方に延び、４つの拡開タブ１０の後方前面１３は同じ軸方向高さで終端せず、それぞれは互いに０．２５ｍｍずれている。それらの外面上に、拡開タブ１０はそれぞれ、横方向に延びる爪状の外側リブ１４を更に有する。
【００２２】
外側ソケット端部位置において、スリーブ部１１は卵形または楕円形の外周縁部１５（図１ｂ、図２ｂ）を有し、外周縁部１５を、楕円形の外周縁部の主軸に沿って、すなわち矢印１６の方向にスリーブ部１１を圧縮することにより、ほぼ円形の外周縁部１５’（図３ｂ）に変形させることができる。円形の外周縁部１５’に変形されたスリーブ部１１の内径は、本実施形態の場合、中間ボルト部分５の直径に相当する。
【００２３】
変形していないスリーブ部１１の楕円形の外周縁部１５が、スリーブ部１１が変形した後に略円形になる外周縁部１５’を越えて半径方向外側に突出する２つの対向するスリーブ部の部分１１ａ、すなわち、楕円形の外周縁部１５の２つの主頂点の周りのスリーブ部の部分において、各スリーブ部１１は後方に向けて連続的にまたは無段階的に先細りになる。図示した例示的実施形態では、変形していないスリーブ部１１は、その外周縁部全体が連続的または無段階的に後方に向けて先細りになっている。
【００２４】
変形していないスリーブ部１１の楕円形の外周縁部１５が、スリーブ部１１が変形した後に略円形になる外周縁部１５’を越えることなく半径方向外側に突出していない２つの対向するスリーブ部の部分１１ｂ、すなわち、楕円形の外周縁部１５の２つの副頂点の周りのスリーブ部の部分において、各スリーブ部１１の内面はそれぞれ、その上流に配置された引込み面取り１８を有する内部溝として構成された係合凹部１７を含む。
【００２５】
二重コネクタ１は、その個々の部品から以下のように組み立てられる。２つの拡開ソケット８は、縁部フランジ１２を前方にして、ガイドボルト６のそれぞれのボルト頭部６に押し付けられる。この場合、スリーブ部１１の内径は、スリーブ部１１が２つの係合凹部１７においてボルト頭部６に係合され（図２ａ）、従って拡開ソケット８がガイドボルト４の所定位置に固定されるまで、２つの引込み面取り１８によってボルト頭部６の径に弾性的に拡大される。この位置固定により、二重コネクタ１は、２つの拡開ソケット８の不注意による圧縮に対して固定される（輸送安全）。各スリーブ部１１の弾力的なばね作用は、それ故、ボルト端部６に係合させるために利用される。
【００２６】
代替として、二重コネクタは、一体型プラスチック射出成形部品として、すなわち、プラスチック製のガイドボルト４、または挿入部品としてのガイドボルト４（例えば、亜鉛または鋼鉄製）のいずれかと共に作製することもできる。
【００２７】
二重コネクタ１は、その嵌合した拡開ソケット８をそれぞれの前方にして、拡開ソケット８がその縁部フランジ１２によって家具部品２に当接するまで、家具部品２の円形の穴３内に挿入される。穴径ｄは、変形していないスリーブ部１１の楕円形の外周縁部１５の主軸長さよりも小さいので、スリーブ部１１が穴３内に進入すると、突出した周縁部分１１ａが先細りによって矢印１６の方向へ穴径ｄまで圧縮される。その結果、同時に、２つの他の周縁部分１１ｂは互いに充分に離間し、内面の係合凹部１７がボルト頭部６（図３ａ）に、もはや係合されないか、または僅かしか係合されない。この時、スリーブ部１１の元々の楕円形の外周縁部１５は、穴径ｄに相当する略円形の外周縁部１５’に変形されるので、ガイドボルト４に対する拡開ソケット８の係止が解除され、２つの拡開ソケット８は更に互いに押し付けられることができる。言い換えれば、スリーブ部１１の楕円形の外周縁部１５が穴３によって丸い外周縁部１５’に強制変形される時にのみ、ガイドボルト４が解放され、拡開タブ１０を広げることができる（誤動作に対する安全性）。強制的な変形の後に依然として存在する僅かな係合は小さな衝撃によって容易に解消される。
【００２８】
続いて、２つの家具部品２が相互に互いに当接するまで共に押され、ボルト頭部６を有するガイドボルト４が拡開ソケット８内に更に押し込まれる。この場合、２つの拡開ソケット８はそれぞれ、共に更に方向１９に、取付け位置（図４）に至るまで中間ボルト部分５上において押圧され、そこで互いに当接し、かつボルト中央において半径方向に突出するガイドボルト４の止め具（止め輪）２０と当接することができる。止め具２０は、拡開ソケット８が一方の側に押し込まれ過ぎることを防止する。拡開ソケット８が共に押圧されると、拡開タブ１０は先細りになったボルト部分７上で更に外側に広がり続け、それにより横方向リブ１４が穴３の壁に押し付けられる。各拡開タブ１０はその外面上に軸方向に延びる補強リブ２１を有し、それにより拡開時に拡開タブ１０が破損することを防止する。
【００２９】
図４の取付け位置において、４つの拡開タブ１０のうちの少なくとも１つは、その後方前面１３がボルト頭部６を通り過ぎた状態で押し付けられ、それぞれの押圧方向１９の後方からボルト頭部６によって係合され、それにより拡開ソケット８は押し戻されないように固定される。取付け位置では、縁部フランジ１２は家具部品２内に完全に押し込まれて、２つの家具部品２は隙間なく互いに当接する。一方では、２つの拡開ソケット８は、それらの拡開されたタブ１０の横方向リブ１４によって家具２の穴の壁にしっかりと固定され、他方では、ガイドボルト４との係合によって互いに固定され、それにより２つの家具部品２は共に締結される。従って、２つの家具部品２を連結する全ての組み立ては、二重コネクタ１を用いて、全く工具を使用することなく行われる。
【００３０】
拡開タブ１０の後方前面１３は、それ故、板材料における縁部フランジ１２の変動する挿入深さを補うために、互いに軸方向にずれている。家具板材として構成された２つの家具部品２の９０°の当接部で、一方の穴は一方の家具板材の板面に位置し、他方の穴は第２の家具板材の前面に位置する。二重コネクタ１は前面の穴の中に押し込まれる。そこでは小さい抵抗しか提供できないチップボードの柔らかい中間層が存在するからである。二重コネクタ１がどれくらい深く押し込まれているか分からないので、そのための補償が提供されなければならず、この補償は後方前面１３の４つの異なる軸方向位置を介して行われる。全ての後方前面１３が同じ軸方向位置で終端する場合、相互が係合する２つのケースが生じ得る。すなわち、後方前面１３とボルト頭部６との間の隙間が大き過ぎるために連結がぐらつくか、または、二重コネクタ１が柔らかい前縁部に深く埋め込まれ過ぎ、従って後方前面１３がボルト頭部６の背後で嵌合しない場合には、係合位置が実現さえされないかの、どちらかである。拡開ソケット８または縁部フランジ１２が家具部品２にどの程度まで押し込まれるかに応じて、取付け位置において最大２ｍｍの隙間が各拡開ソケット８の間に存在し得る。
【００３１】
拡開ソケット８は、ボルト頭部６に係合され得るためには「過度に拡張され」なければならないので、拡張力が可能な限り最良の方法で分散されるように、ガイドボルト４と協働する拡開タブ１０の内面は互いに同一または回転対称には設計されていない。
【００３２】
図示した例示的実施形態のようにガイドボルト４に係合させる代わりに、代替として、取付け位置にある各拡開ソケット８を、例えば、取付け位置において、対応する他の拡開ソケット８の背後で係合する形態で嵌合する係合フックを用いて、共に直接係合することもでき、これにより拡開ソケット８が押し離されないように固定される。
【００３３】
任意選択的に、接着剤（例えばＰＶＡ接着剤）を、純粋な係合および爪による連結に加えて、どんな場合でも分解することができないように設計された連結として、更なる安定性を提供することができる。この場合、接着剤は穴内に充填されるのではなく、最終的な取り付けの前に、拡開ソケット８の対応する空洞の中に直接充填される。接着剤の定められた位置および計量が、必要な場合には有益である。（最終的な取り付け時に）いずれも押圧されると、接着剤は押し出される。板材の品質が（コスト上の理由から）絶えず低下しているため、追加の接着が益々重要となる可能性がある。液だれなしで二重コネクタ１に接着剤を確実に保持させるために、特別な低粘度の接着剤を使用することができる。その結果、二重コネクタ１は、用途に応じて、接着剤を追加する、しないに関わらず全般的に使用することができる。
【００３４】
二重コネクタ１は、図示した例示的実施形態のように２つの家具部品２を連結するためだけでなく、任意の２つの構成要素を、異なる構成要素であっても連結するために全般的に使用することができる。基本的には、自動車または医療技術または他の産業における用途も可能である。
【図１ａ】
2019515225.tif 000003
【図１ｂ】
2019515225.tif 000004
【図２ａ】
2019515225.tif 000005
【図２ｂ】
2019515225.tif 000006
【図３ａ】
2019515225.tif 000007
【図３ｂ】
2019515225.tif 000008
【図４】
2019515225.tif 000009
【国際調査報告】
2019515225.tif 000010
2019515225.tif 000011
2019515225.tif 000012
2019515225.tif 000013
2019515225.tif 000014